(57)【特許請求の範囲】
【請求項１】
画像情報を表示する表示画面を有する表示部と、該表示部を起立させるように支持し、かつ略水平方向に移動可能とするための移動用車輪を備える台座部を備える表示装置であって、
前記台座部は、
前記表示部の前記表示画面が略鉛直方向となるように支持し、かつ前記表示部を略鉛直方向に移動させる昇降移動部材が設けられる支持機構部と、
電子機器を載置し、かつ該電子機器を略水平方向に移動させる水平移動部材が設けられる載置台と、
前記支持機構部を起立状態に支持し、かつ前記載置台を設置可能な空間部を有する基台と、
前記昇降移動部材による前記表示部の略鉛直方向の移動に連動して、前記水平移動部材による前記電子機器の略水平方向の移動を実行させる連動機構部と、を備え、
前記連動機構部は、前記昇降移動部材が前記表示部を上昇方向に移動させた際に、前記水平移動部材が前記電子機器を前記基台の内側方向に移動させ、前記昇降移動部材が前記表示部を下降方向に移動させた際に、前記水平移動部材が前記電子機器を前記基台の外側方向に移動させて、表示装置の重心が表示部から遠ざかり表示装置全体の中央部に移動するようにしたことを特徴とする表示装置。
【請求項２】
前記昇降移動部材は、前記表示部の昇降移動範囲の最上位点の位置に該表示部を押圧する昇降移動用弾性部材を備えることを特徴とする請求項１に記載の表示装置。
【請求項３】
前記連動機構部は、前記載置台に対して斜方向に連結され、かつ前記表示部の一部と当接する傾斜部材を備えることを特徴とする請求項１または２に記載の表示装置。
【請求項４】
前記傾斜部材は、前記電子機器の表面に一体的に形成されていることを特徴とする請求項３に記載の表示装置。
【請求項５】
前記載置台には、前記電子機器を前記基台の内側方向に押圧する水平移動用弾性部材が前記水平移動部材と略平行に設けられることを特徴とする請求項３に記載の表示装置。
【請求項６】
前記連動機構部は、
前記支持機構部の頂部側に回転可能に支持される滑車と、
前記滑車に係合され、該滑車の回転駆動力が前記表示部を略鉛直方向に移動させる駆動力および前記電子機器を略水平方向に移動させる駆動力に変換するための綱状部材と、
を備えることを特徴とする請求項１または２に記載の表示装置。
【請求項７】
前記表示部には、前記表示画面の使用時には、軸部に巻き取られており、前記表示画面の不使用時には、前記軸部から展開されて前記表示画面の表面を保護する巻き取り式スクリーンを備えることを特徴とする請求項１〜６の何れか１項に記載の表示装置。
【請求項８】
前記表示部の下端側には、前記表示部が昇降移動範囲の最下位点の位置に下降移動させた際に、前記基台側に設けられた係合部に係合して、該基台に対して固定するロック部材が設けられることを特徴とする請求項１〜７の何れか１項に記載の表示装置。
【発明の詳細な説明】
【技術分野】
【０００１】
本発明は、液晶表示ディスプレイやプラズマディスプレイ等の表示画面を有する表示部を備える表示装置に関し、特に、当該表示部を支持する機構とプリンタ等の電子機器を載置する機構の双方を共に備え、かつ底面側に備えた移動用車輪で移動可能な表示装置に関する。
【背景技術】
【０００２】
大型のＬＣＤ（ Liquid Crystal Display ）等の薄型ディスプレイをスタンド上に載置し、移動可能にキャスターを設けた表示装置がある。このような表示装置は、表示手段となる薄型ディスプレイの重量により重心が偏ることが多い。すなわち、装置全体の重心位置が表示手段側に近接していることによって、装置全体としてのバランスが悪くなり、安定感に欠ける傾向にあり、転倒の虞がある。
【０００３】
このような大型の薄型ディスプレイを備える表示装置の転倒防止をするために、台座内に収納可能な転倒防止脚を設ける薄型表示装置用台座が特許文献１に開示されている。このような薄型表示装置用台座によって、薄型表示装置を壁面から離した状態で設置するときには、台座から転倒防止脚を突出させて薄型表示装置の転倒防止を図ると共に、転倒防止脚を台座内に収納することによって、薄型表示装置を壁面に近接して設置することができる。
【特許文献１】特開平１０−３３３５９４号公報
【発明の開示】
【発明が解決しようとする課題】
【０００４】
しかしながら、上記の薄型表示装置用台座は、床面等に静止して設置する際の安定感の確保は、可能であるが、移動時における安定感の確保をするには、至っていない。換言すると、表示装置を移動させる際に、移動時における装置全体のバランスの悪さから、転倒の虞がある。
【０００５】
そこで、本発明は、従来の表示装置が有する上記問題点に鑑みてなされたものであり、本発明の目的は、移動時における安定感の確保の可能な、新規かつ改良された表示装置を提供することである。
【課題を解決するための手段】
【０００６】
上記課題を解決するために、本発明のある実施の態様によれば、画像情報を表示する表示画面を有する表示部と、該表示部を起立させるように支持し、かつ略水平方向に移動可能とするための移動用車輪を備える台座部を備える表示装置であって、
前記台座部は、
前記表示部の前記表示画面が略鉛直方向となるように支持し、かつ前記表示部を略鉛直方向に移動させる昇降移動部材が設けられる支持機構部と、
電子機器を載置し、かつ該電子機器を略水平方向に移動させる水平移動部材が設けられる載置台と、
前記支持機構部を起立状態に支持し、かつ前記載置台を設置可能な空間部を有する基台と、
前記昇降移動部材による前記表示部の略鉛直方向の移動に連動して、前記水平移動部材による前記電子機器の略水平方向の移動を実行させる連動機構部と、を備え、
前記連動機構部は、前記昇降移動部材が前記表示部を上昇方向に移動させた際に、前記水平移動部材が前記電子機器を前記基台の内側方向に移動させ、前記昇降移動部材が前記表示部を下降方向に移動させた際に、前記水平移動部材が前記電子機器を前記基台の外側方向に移動させて、表示装置の重心が表示部から遠ざかり表示装置全体の中央部に移動するようにしたことを特徴とする表示装置が提供される。
【０００７】
このような構成とすることにより、表示装置の移動時に、表示部を下降させて重心を下降させると共に、電子機器の載置台を基台から遠ざかる方向に移動させることにより、静止させて設置している通常時の表示部の位置から表示装置全体の重心を遠ざけて、当該重心を表示装置全体の中央部に移動させられる。このため、表示装置の移動時における表示装置全体のバランスを安定化させるので、当該移動時に表示装置の転倒を抑制することが出来る。
【０００８】
このとき、上記実施の態様において、昇降移動部材は、表示部の昇降移動範囲の最上位点の位置に表示部を押圧する昇降移動用弾性部材を備えることとしてもよい。
【０００９】
このような構成とすることにより、表示部を下降移動させた後に、表示部を元の位置に戻す際に、収縮されたガススプリング等の昇降移動用弾性部材の押圧力によって、表示部を上昇移動させられ、かつプリンタ等の電子機器を載せる載置台を当該電子機器の操作がし易い元の位置に戻すことが容易に出来るようになる。
【００１０】
このとき、上記実施の態様において、連動機構部は、載置台に対して斜方向に連結され、かつ表示部の一部と当接する傾斜部材を備えることとしてもよい。
【００１１】
このような構成とすることにより、表示部を下降移動させた際に、当該表示部に加えた力の一部が傾斜部材に伝達されて、プリンタ等の電子機器を載せる載置台をガススプリング等の水平移動用弾性部材の押圧力に抗して後方に移動させられる。このため、表示部の垂直方向の移動とプリンタの水平方向の移動を連動させられるようになる。
【００１２】
このとき、上記実施の態様において、傾斜部材は、電子機器の表面に一体的に形成されていることとしてもよい。
【００１３】
このように、傾斜部材となるレールをプリンタ等の電子機器の本体を介して載置台と連結させる構成とすることによって、傾斜面を持つ他の部材を別途設ける必要がなくなるので、表示装置を小型化することが出来る。
【００１４】
このとき、上記実施の態様において、載置台には、電子機器を基台の内側方向に押圧する水平移動用弾性部材が水平移動部材と略平行に設けられることとしてもよい。
【００１５】
このような構成とすることにより、表示部を下降移動させた後に、表示部を元の位置に戻す際に、収縮されたガススプリング等の水平移動用弾性部材の押圧力によって、プリンタ等の電子機器を載せる載置台に加えた力の一部が傾斜部材に伝達されて、表示部を上昇移動させて元に位置に戻すことが容易に出来るようになる。
【００１６】
このとき、上記実施の態様において、連動機構部は、支持機構部の頂部側に回転可能に支持される滑車と、この滑車に係合され、滑車の回転駆動力が表示部を略鉛直方向に移動させる駆動力および電子機器を略水平方向に移動させる駆動力に変換するための綱状部材と、を備えることとしてもよい。
【００１７】
このように、滑車を回転操作することによって、滑車に係合されるワイヤ等の綱状部材を介して、昇降移動部材となる表示部支持部材および水平移動部材となる載置台駆動ギアが駆動されるようにすることによって、表示装置の移動時に、表示部を下降させて重心を下降させると共に、電子機器の載置台を基台から遠ざかる方向に移動させられる。このため、静止させて設置している通常時の表示部の位置から表示装置全体の重心を遠ざけて、当該重心を表示装置全体の中央部に移動させられるので、表示装置の移動時における表示装置全体のバランスを安定化させ、当該移動時に表示装置の転倒を抑制することが出来る。
【００１８】
このとき、上記実施の態様において、表示部には、表示画面の使用時には、軸部に巻き取られており、表示画面の不使用時には、軸部から展開されて表示画面の表面を保護する巻き取り式スクリーンを備えることとしてもよい。
【００１９】
このような構成とすることにより、表示装置の移動時等において、表示画面の不使用時に、表示画面を不慮の衝撃等から保護することが出来る。
【００２０】
このとき、上記実施の態様において、表示部の下端側には、表示部が昇降移動範囲の最下位点の位置に下降移動させた際に、基台側に設けられた係合部に係合して、この基台に対して固定するロック部材が設けられることとしてもよい。
【００２１】
このような構成とすることにより、表示装置の移動中に、不意に表示部が上昇して、表示装置全体のバランスを崩して、表示装置が転倒することを未然に防止出来る。
【発明の効果】
【００２２】
以上説明したように、本発明によれば、表示装置の移動時に、表示部を下降させて重心を下降させると共に、表示部の下降時すなわち表示装置の移動時は、電子機器の載置台を基台から遠ざかる方向に移動させることにより、表示装置全体の重心を表示部から遠ざけて表示装置全体の中央部に移動させることによって、表示装置全体のバランスを安定化させるので、表示装置の移動時の転倒を抑制するようになる。
【発明を実施するための最良の形態】
【００２３】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２４】
（第１の実施の形態）
まず、本発明の表示装置の第１の実施の形態の構成について、図面を参照しながら説明する。図１は、本実施の形態の表示装置の全体の概要構成を示す斜視図であり、図２は、本実施の形態の表示装置の全体の概要構成を示す側面図であり、図１および図２における(ａ)は、通常使用時における表示装置、（ｂ）は、不使用時（移動時）における表示装置を示す。
【００２５】
表示装置１００は、大型ＬＣＤ等からなる表示画面１０２ａを有する表示部１０２と、この表示部１０２を起立させるように支持するための台座部となる支持スタンド１０４を備える。
【００２６】
図１（ａ）に示すように、支持スタンド１０４は、表示装置１００の設置面となる床面に対して接触する基台１０６と、当該基台１０６と表示部１０２を連結して、当該表示部１０２の表示画面１０２ａが床面に対して略鉛直となるように支持する一対の脚部１０８を備える構成となっている。これらの脚部１０８の間の空間部１０８ａの基台１０６の上面側には、プリンタ等の電子機器１１０を載置する載置台１１２が設けられている。また、基台１０６の底面側には、表示装置１００の略水平方向の移動を容易にするための移動用車輪となるキャスター１１４が設けられている。
【００２７】
本実施の形態では、表示部１０２は、略鉛直方向に移動可能な構成となっている。すなわち、表示部１０２を支持する脚部１０８は、当該表示部１０２を略鉛直方向に移動させる昇降移動部材１２０（図３参照）を含む支持機構部としての機能を有する。このため、表示部１０２を使用時には、表示画面１０２ａが見え易いように、表示部１０２が上側に設置される。また、表示部１０２の下側には、把持可能な取手部１０２ｂが設けられており、表示装置１００を移動させる場合等の表示部１０２を不使用時には、当該取手部１０２ｂを把持して下側に移動させることによって、図１（ｂ）に示すように、表示部１０２が基台１０６に当接する位置まで下降移動する。
【００２８】
また、電子機器１１０を載置する載置台１１２には、当該電子機器１１０を略水平方向に移動させる水平移動部材１２２（図４参照）が設けられ、表示部１０２の昇降動作に連動して、載置台１１２を水平移動するような構成となっている。このため、表示部１０２の下降移動に連動して、載置台１１２に載置されているプリンタ１１０が図２（ａ）に示す基台１０６の内側の位置からから、図２（ｂ）に示す基台１０６の外側の位置に向かって略水平方向に移動させられて、表示装置１００の全体の重心が装置１００の中心に近くなるように移動し、移動中における表示装置１００の転倒を抑制出来るようになる。
【００２９】
一方、表示部１０２を使用するために、表示画面１０２ａが見え易いように、表示部１０２を上昇移動させる場合には、取手部１０２ｂを把持して上側に移動させることによって、図１（ｂ）に示すような表示部１０２が下側に位置する状態から、図１（ａ）に示すような表示部１０２が上側に位置する状態となる。このとき、表示部１０２の上昇移動に連動して、載置台１１２に載置されているプリンタ１１０が図２（ｂ）に示すような基台１０６の外側の位置からから、図２（ａ）に示すように、基台１０６の内側の位置に向かって略水平方向に移動させられて、プリンタ１１０が操作し易い表示装置１００の前面側に来るようになる。
【００３０】
このように、本実施の形態では、表示部１０２の略鉛直方向の移動に連動して、電子機器１１０を載置する載置台１１２が略水平方向に移動する。なお、表示部１０２の略鉛直方向の移動に伴う載置台１１２の略水平方向の移動を実行させる連動機構部の構成および動作の詳細については、後述する。
【００３１】
また、表示部１０２の下端側には、表示画面１０２ａの表面を保護するために、衝撃吸収性のある材質で形成されるスクリーン１１６ａが不図示の巻取軸に巻き取り可能に構成された巻き取り式スクリーンとなるロールスクリーン１１６が設けられている。ロールスクリーン１１６は、表示画面１０２ａの使用時には、図１（ａ）に示すように、巻取軸に巻き取られており、表示画面１０２ａの不使用時には、図１（ｂ）に示すように、スクリーン１１６ａの端部側に設けられる取手部１１６ｂを把持して、巻取軸から上側に向かって当該スクリーン１１６ａを展開させて、表示画面１０２ａの表面を被覆する。このように、表示部１０２の端部側にロールスクリーン１１６を設けることによって、表示装置１００の移動時等において、表示画面１０２ａの不使用時に表示画面１０２ａを不慮の衝撃等から保護することが出来る。
【００３２】
さらに、表示部１０２の下端側には、表示装置１００の移動中等に表示部１０２が上昇移動することを防止するための固定機構となるロック部材として、ロックレバー１１８が設けられている。表示部１０２が昇降移動範囲の最下位点の位置に下降移動させた際に、基台１０６に設けられた係合部１０６ｂに係合して、この基台１０６に対して固定するロック部材となるロックレバー１１８が設けられている。なお、ロックレバー１１８の詳細な構成については、後述する。
【００３３】
次に、本実施の形態の表示装置に備わる連動機構部の構成について、図面を使用しながら説明する。図３は、本実施の形態の台座部となる支持スタンドに備わる支持機構部の概略構成を示す斜視図であり、（ａ）は、本実施の形態の台座部の斜視図、（ｂ）は、（ａ）の台座部に備わる支持機構部の拡大図であり、図４は、本実施の形態の載置台の概略構成を示す斜視図であり、図５は、本実施の形態の台座部に備わる連動機構部の概略構成を示す斜視図である。
【００３４】
本実施の形態の台座部となる支持スタンド１０４は、前述したように、基台１０６と、一対の脚部１０８と、プリンタ等の電子機器１１０を載置する載置台１１２と、キャスター１１４を備える。基台１０６は、図３（ａ）に示すように、表示装置１００を設置する際の土台としての機能を有する略平板形状の部材であり、表示装置１００の設置面となる床面に対して、底面側に設けられたキャスター１１４を介して当接される。
【００３５】
脚部１０８は、表示部１０２の表示画面１０２ａが床面に対して略鉛直となるように支持する支持機構部としての機能を有する柱状部材であり、図３（ａ）に示すように、基台１０６に対して略鉛直に起立して設けられている。本実施の形態では、図３（ｂ）に示すように、脚部１０８は、側面１０８ｃのうちの一側面が空隙部１０８ｂとなっている断面が略コの字型の柱状部材であり、側面１０８ｃの内側に表示部１０２を略鉛直方向に移動させるための昇降移動部材となるガススプリング１２０が設けられている。
【００３６】
本実施の形態では、ガススプリング１２０は、表示部１０２の昇降移動範囲の最上位点の位置に表示部１０２を押圧する不図示の昇降移動用弾性部材となるスプリングを含む構成であり、表示部１０２を下降移動させた後に、表示部１０２を元の高い位置に戻す際に、ガススプリング１２０に含まれる収縮されたスプリングの押圧力によって、表示部１０２を上昇移動させる。
【００３７】
これらの脚部１０８の間の空間部１０８ａの基台１０６の上面側には、プリンタ（電子機器）１１０を載置する載置台１１２が設けられている。本実施の形態では、図４に示すように、載置台１１２には、プリンタ１１０を水平方向に移動可能に基台１０６上に支持する水平移動部材となる一対のスライドレール１２２が設けられている。これらのスライドレール１２２の間には、電子機器１１０を基台１０６の内側方向に押圧する水平移動用弾性部材であるガススプリング１２４がスライドレール１２２と略平行となるように設けられている。本実施の形態では、ガススプリング１２４は、プリンタ１１０の底面に連結されており、プリンタ１１０に水平方向の移動力を付与する。プリンタ１１０に外力が働いていない状態では、プリンタ１１０を表示装置１００の前面側に押し出すような押圧力をプリンタ１１０に付与している。
【００３８】
上述したように、ガススプリング１２０による表示部１０２の略鉛直方向の移動に連動して、スライドレール１２２によるプリンタ１１０の略水平方向の移動を実行させるが、本実施の形態では、載置台１１２に対して斜方向に連結され、かつ表示部１０２の下側の一部に設けられる回動自在なプーリー１２６と当接する傾斜部材であるレール１２８が表示部１０２の昇降移動とプリンタ１１０の水平移動を連動させる連動機構部となる。本実施の形態では、図５に示すように、レール１２８は、プリンタ１１０の斜面部１１０ａに一体的に形成されている。
【００３９】
このように、本実施の形態では、表示部１０２を下降移動させた際に、当該表示部１０２に加えた力の一部がプーリー１２６を介して、レール１２８に伝達されて、プリンタ１１０を載せる載置台１１２をガススプリング１２４の押圧力に抗して後方に移動させ、表示部１０２の垂直方向の移動とプリンタ１１０の水平方向の移動を連動させられるようになる。また、反対に、表示部１０２を下側から元の高さ位置に戻す際に、収縮されたガススプリング１２４の押圧力によって、プリンタ１１０を載せる載置台１１２に加えた力の一部がレール１２８に伝達されて、表示部１０２を上昇移動させて元に位置に容易に戻せる。さらに、レール１２８をプリンタ１１０の本体側に有する傾斜面１１０ａを介して載置台１１２と連結させる構成とすることによって、傾斜面を持つ他の部材を別途設ける必要がなくなるので、表示装置１１０を小型化することが出来る。
【００４０】
次に、本実施の形態の表示部を下降移動させて、表示部を固定する固定機構の構成および動作について、図面を使用しながら説明する。図６は、本実施の形態の表示装置に備わる固定機構の構成を説明するための図であり、（ａ）は、本実施の形態の表示装置の使用時の側面図であり、（ｂ）は、本実施の形態の固定機構の構成を示す側面図であり、（ｃ）は、本実施の形態の表示装置の不使用時の側面図である。
【００４１】
ロックレバー１１８は、図６（ａ）および(ｂ)に示すように、表示部１０２の下端側に支軸部１１８ａを介して回動可能に取り付けられており、表示部１０２を昇降移動範囲の最下位点の位置に下降移動させた際に、図６(ｃ)に示すように、基台１０６に設けられている係合部１０６ｂと係合して表示部１０２を固定する。このように、ロックレバー１１８および係合部１０６ｂから構成される固定機構を設けることによって、表示装置１００の移動中に、不意に表示部１０２が上昇して、表示装置１００の全体のバランスを崩して、表示装置１００が転倒することを未然に防止するようになる。
【００４２】
このように、本実施の形態では、表示部１０２を下降移動させた際に、当該表示部１０２に加えた力の一部が表示部１０２の底面側に設けたプーリー１２６を介して傾斜部材となるレール１２８に伝達されて、プリンタ１１０を載せる載置台１１２を水平移動用弾性部材となるガススプリング１２４の押圧力に抗して後方に移動させられる。換言すると、表示装置１００の移動時に、表示部１０２を下降させて重心を下降させると共に、電子機器１１０の載置台１１２を基台１０６から遠ざかる方向に移動させることによって、静止させて設置している通常時の表示部１０２の位置から表示装置全体の重心を遠ざけて、当該重心を表示装置全体の中央部に移動させられる。このため、表示装置１００の移動時における表示装置全体のバランスを安定化させるので、当該移動時に表示装置１００の転倒を抑制することが出来る。
【００４３】
（第２の実施の形態）
次に、本発明の表示装置の第２の実施の形態の構成および動作機構について、図面を参照しながら説明する。図７は、本実施の形態の表示装置の台座部に備わる昇降移動機構の概略構成を示す側面図であり、（ａ）は、通常使用時の状態を示す側面図、（ｂ）は、本実施の形態の表示装置の昇降移動機構に備わる表示部支持部材の構成を上から見た図であり、図８は、本実施の形態の表示装置の台座部に備わる昇降移動機構の概略構成であり、不使用時の状態を示す側面図である。
【００４４】
本実施の形態の表示装置２００は、第１の実施の形態と同様に、表示部２０２と、この表示部２０２を起立させるように支持するための台座部となる支持スタンド２０４を備える。
【００４５】
図７（ａ）に示すように、支持スタンド２０４は、第１の実施の形態と同様に、表示装置２００の設置面となる床面に対して接触する基台２０６と、当該基台２０６と表示部２０２を連結して、当該表示部２０２が床面に対して略鉛直となるように支持する脚部２０８を備え、基台２０６の上面側には、プリンタ等の電子機器２１０を載置する載置台２１２が設けられている。また、基台２０６の底面側には、第１の実施の形態と同様に、表示装置２００の略水平方向の移動を容易にするための移動用車輪となるキャスター２１４が設けられている。
【００４６】
本実施の形態では、表示部２０２は、略鉛直方向に移動可能な構成となっている。すなわち、表示部２０２は、表示部支持部材２０３を介して、昇降移動可能に脚部２０８に支持されている。
【００４７】
脚部２０８は、図７（ｂ）に示すように、側面２０８ｃのうちの一側面にスリット状の空隙部２０８ｂが形成され、基台２０６に対して略鉛直に起立して設けられている柱状部材であり、当該空隙部２０８ｂから断面が略凸形状の表示部支持部材２０３の先端部２０３ａが突出している。表示部支持部材２０３は、先端部２０３ａが表示部２０２に連結されて、空隙部２０８ｂに沿って当該表示部２０２を昇降移動可能に支持する。
【００４８】
脚部２０８の頂部側には、支持軸２３０ａを介して回転自在に支持され、回転操作用のハンドル２３１が備わる操作滑車２３０が滑車支持部２３２を介して連結されており、この操作滑車２３０には、綱状部材である昇降移動用ワイヤ２３４が係合されている。昇降移動用ワイヤ２３４は、脚部２０８の頂部側に設けられる操作滑車２３０と、基台２０６側に設けられる補助プーリー２３６との間に張架され、当該昇降移動用ワイヤ２３４の一端は、操作滑車２３０に連結され、他端は、表示部支持部材２０３の下面側２０３ｂに連結されている。
【００４９】
このため、表示部２０２が上昇した通常使用時に、ハンドル２３１を把持して所定の方向（図７に示す反時計回り）に回転操作すると、操作滑車２３０に昇降移動用ワイヤ２３４が巻き取られることによって、図８に示すように、当該昇降移動用ワイヤ２３４の他端が連結された表示部支持部材２０３を下方に移動させる。換言すると、操作滑車２３０の回転駆動力が昇降移動用ワイヤ２３４に伝達されて、当該昇降移動用ワイヤ２３４および表示部支持部材２０３を介して、表示部２０２を略鉛直方向に移動させる駆動力に変換される。
【００５０】
また、本実施の形態の脚部２０８の内側には、表示部支持部材２０３の昇降移動範囲の最上位点の位置に表示部支持部材２０３を押圧する昇降移動用弾性部材となるスプリング２２０が設けられ、表示部２０２を下降移動させた後に、表示部２０２を元の高い位置に戻す際に、収縮されたスプリング２２０の押圧力によって、表示部２０２を上昇移動させる。なお、表示部２０２を下降させた後は、第１の実施の形態と同様に、表示部２０２を固定するロックレバー等の固定機構により表示部２０２を固定する構成としても良い。また、第１の実施の形態と同様に、表示部２０２の下端側には、表示画面２０２ａの表面を保護するために、衝撃吸収性のある材質で形成されるスクリーンが巻取軸に巻き取り可能に構成された巻き取り式スクリーンとなるロールスクリーンを設ける構成とすることも可能である。
【００５１】
次に、本実施の形態の表示装置に備わるプリンタを載せる載置台の水平移動機構について、図面を参照しながら説明する。図９は、本実施の形態の表示装置の台座部に備わる水平移動機構の概略構成の通常使用時の状態を示す側面図であり、図１０は、本実施の形態の表示装置の台座部に備わる水平移動機構の概略構成の不使用時の状態を示す側面図であり、図１１は、本実施の形態の表示装置の台座部に備わる昇降移動機構および水平移動機構の操作手段となる操作滑車を上側から見た平面図である。
【００５２】
本実施の形態の表示装置２００は、第１の実施の形態と同様に、プリンタ等の電子機器２１０を載置する載置台２１２を表示部２０２と連動してスライドさせる水平移動機構が設けられている。本実施の形態では、表示部２０２の昇降動作機構と同様に、操作滑車２３０に係合されるワイヤによって、載置台２１２を水平移動方向にスライドさせるよう駆動される。水平移動用ワイヤ２４４は、図９に示すように、脚部２０８の頂部側に有する滑車支持部２３２に設けられる操作滑車２３０と、脚部２０８の頂部側に設けられる補助滑車２３８と、基台２０６の載置台２１２と当接する部位に設けられ、載置台２１２の底面２１２ｂと噛合する不図示の噛合部材が外周に形成された載置台駆動ギア２４０の支持軸２４０ａとの間に張架されており、そのうち、支持軸２４０ａが操作滑車２３０の回転方向と反対方向に回転するように、水平移動用ワイヤ２４４が巻回される。
【００５３】
このため、ハンドル２３１を把持して所定の方向（図９に示す反時計回り）に回転操作すると、操作滑車２３０の回転方向と反対方向（図９に示す時計回り）に支持軸２４０ａが回転駆動して、それに伴って、載置台駆動ギア２４０が図９に示す時計回りに回転駆動して、図１０に示すように、載置台２１２が基台２０６の上面側に設けられた載置台支持レール２４２に沿って、基台２０６の内側から外側に向かって水平方向（図１０に示す右側方向）に移動させる。換言すると、操作滑車２３０の回転駆動力が水平移動用ワイヤ２４４に伝達されて、当該水平移動用ワイヤ２４４および載置台駆動ギア２４０を介して、プリンタ２１０を載置した載置台２１２を略水平方向に移動させる駆動力に変換される。
【００５４】
また、本実施の形態では、図１１に示すように、昇降移動用ワイヤ２３４および水平移動用ワイヤ２４４は、共通の一対の操作滑車２３０に係合されており、これら操作滑車２３０は、それぞれの支軸部２３０ａが滑車連結シャフト２３０ｂで連結され、ハンドル２３１を回転操作することによって、同時に回転動作をするようになる。このため、本実施の形態では、操作滑車２３０が表示部２０２の昇降移動機構および載置台２１２の水平移動機構の操作手段となり、表示部２０２の略鉛直方向の移動に連動して、電子機器２１０を載置する載置台２１２の略水平方向の移動を実行させる連動機構部となる。
【００５５】
このように、本実施の形態では、操作滑車２３０を回転操作することによって、当該操作滑車２３０に係合される昇降移動用ワイヤ２３４および水平移動用ワイヤ２４４を介して、昇降移動部材となる表示部支持部材２０３および水平移動部材となる載置台駆動ギア２４０が駆動されて、表示部２０２を下降移動させて重心を下降させると共に、電子機器２１０の載置台２１２を基台２０６から遠ざける方向に移動させられる。このため、表示装置２００を移動時に、静止させて設置している通常時の表示部２０２の位置から表示装置全体の重心を遠ざけて、当該重心を表示装置全体の中央部に移動させられるので、表示装置２００の移動時における表示装置全体のバランスを安定化させ、当該移動時に表示装置２００の転倒を抑制することが出来る。
【００５６】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００５７】
例えば、上記の各実施の形態では、表示部の表示画面は、ＬＣＤからなるものについて、説明しているが、薄型かつ大型の表示画面を有する表示部を備える表示装置であれば、プラズマディスプレイ等の他の表示画面を有する表示部を台座部で支持する表示装置にも、本発明を適用可能である。
【図面の簡単な説明】
【００５８】
【図１】本発明の第１の実施形態の表示装置の全体の概要構成を示す斜視図であり、(ａ)は、通常使用時における表示装置、（ｂ）は、不使用時（移動時）における表示装置を示す。
【図２】同実施の形態の表示装置の全体の概要構成を示す側面図であり、(ａ)は、通常使用時における表示装置、（ｂ）は、不使用時（移動時）における表示装置を示す。
【図３】同実施の形態の台座部となる支持スタンドに備わる支持機構部の概略構成を示す斜視図であり、（ａ）は、台座部の斜視図、（ｂ）は、（ａ）の台座部に備わる支持機構部の拡大図である。
【図４】同実施の形態の載置台の概略構成を示す斜視図である。
【図５】同実施の形態の台座部に備わる連動機構部の概略構成を示す斜視図である。
【図６】同実施の形態の表示装置に備わる固定機構の構成を説明するための図であり、（ａ）は、本実施の形態の表示装置の使用時の側面図であり、（ｂ）は、本実施の形態の固定機構の構成を示す側面図であり、（ｃ）は、本実施の形態の表示装置の不使用時の側面図である。
【図７】本発明の第２の実施形態の表示装置の台座部に備わる昇降移動機構の概略構成を示す側面図であり、（ａ）は、通常使用時の状態を示す側面図、（ｂ）は、同実施の形態の表示装置の昇降移動機構に備わる表示部支持部材の構成を上から見た図である。
【図８】同実施の形態の表示装置の台座部に備わる昇降移動機構の概略構成の不使用時の状態を示す側面図である。
【図９】同実施の形態の表示装置の台座部に備わる水平移動機構の概略構成の通常使用時の状態を示す側面図である。
【図１０】同実施の形態の表示装置の台座部に備わる水平移動機構の概略構成の不使用時の状態を示す側面図である。
【図１１】同実施の形態の表示装置の台座部に備わる昇降移動機構および水平移動機構の操作手段となる操作滑車を上側から見た平面図である。
【符号の説明】
【００５９】
１００      表示装置
１０２      表示部
１０２ａ    表示画面
１０４      台座部
１０６      基台
１０６ｂ    係合部
１０８      支持機構部（脚部）
１０８ａ    空間部
１１０      電子機器（プリンタ）
１１２      載置台
１１４      移動用車輪（基台側キャスター）
１１６      巻き取り式スクリーン（ロールスクリーン）
１１８      ロック部材（ロックレバー）
１２０      昇降移動部材（ガススプリング）
１２２      水平移動部材（スライドレール）
１２４      水平移動用弾性部材（ガススプリング）
１２６      プーリー
１２８      連動機構部（レール）
２３０      滑車（操作滑車）
２３４      綱状部材（昇降移動用ワイヤ）
２４４      綱状部材（水平移動用ワイヤ）
【図１】
0005009082.tif 000002
【図２】
0005009082.tif 000003
【図３】
0005009082.tif 000004
【図４】
0005009082.tif 000005
【図５】
0005009082.tif 000006
【図６】
0005009082.tif 000007
【図７】
0005009082.tif 000008
【図８】
0005009082.tif 000009
【図９】
0005009082.tif 000010
【図１０】
0005009082.tif 000011
【図１１】
0005009082.tif 000012